(57)【要約】【課題】ユニットルームの天井を構成する構造であって、強度が確保できるとともに、組立てが簡単に行え、設置工事も簡単に行うことができる天井構造の提供。【解決手段】建物の空間を仕切るユニットルームの天井構造において、複数枚の天井パネル７と複数の梁材４を有するとともに、該天井パネル７の側端面を互いに当接させ、梁材４の上面に配列して天井部を構成している。【選択図】    図１
2017066635.tif 000002
【特許請求の範囲】
【請求項１】
建物の空間を仕切るユニットルームの天井構造において、複数枚の天井パネルと複数の梁材を有するとともに、該天井パネルの側端面を互いに当接させ、梁材の上面に配列して天井部を構成したことを特徴とするユニットルームの天井構造。
【請求項２】
前記天井パネルは当接している側端同士を梁材を覆いながら連結金具で固定したことを特徴とする請求項１記載のユニットルームの天井構造。
【発明の詳細な説明】
【技術分野】
【０００１】
本発明は、建物内の大きな空間に設置するユニットルームの天井構造に関する。
【背景技術】
【０００２】
工場や倉庫等といった大きな空間に、作業する人の執務室や休憩場所であったり、備品の保管庫といった目的でユニットルームが設置されている。このようなユニットルームの天井構造は、間仕切り装置の壁パネルと同様の天井パネルとすることが多く、ユニットルームの大きさに合わせて複数の天井パネルを連結しながら天井面を構成している。
【０００３】
例えば、特開２００８−１８４７８８「耐火天井の目地部連結構造」のように、石膏ボード等の不燃材の両面に金属製の表面材を貼着した天井パネルを隣り合うように構成し、隣り合う天井パネル間に目地を配列し、目地の上には天井パネルに跨ってコ形断面をしたカバー材を配置して構成している技術が知られている。このカバー材の内部には石膏ボード等の不燃材を隙間なく充填し、カバー材の上面から天井パネルに届くようにネジ止めし、さらに、カバー材の上面には支持プレートをネジ止めして天井から垂下した吊ボルトにて吊設している。この場合、天井パネルの上面すなわち部屋の天井裏からネジ止めする必要があるので、取付け工事に時間がかかる上、天井裏に上って作業するため作業員の落下や身体への負荷等、危険が伴うといった問題があった。
【０００４】
また、特開２００９−１５５９４３「天井パネルの取付け構造」のように、吊りボルトで吊設された水平桟に取付ける吊り金具は、上板は縦板の上端にて内側へ屈曲させ、底板は縦板の下端で内側と外側へ水平に延び、係合部は概略Ｌ形断面をして底板の内端に形成され、天井パネルの側端に設けた補強部材の空間に吊り金具の係合部を係合して底板を天井パネル表面にネジ止めする技術が知られている。この場合、天井パネルの側端に設ける補強部材を、吊り金具の係合部が係合できるような断面形状にする必要があるので、天井パネルの構造が複雑になってしまい、製作コストも大きくなる。
【特許文献１】特開２００８−１８４７８８
【特許文献２】特開２００９−１５５９４３
【発明の開示】
【発明が解決しようとする課題】
【０００５】
このように、従来の天井構造には上記のごとき問題がある。本発明が解決しようとする課題はこれら問題点であり、取付け工事を簡単かつ安全に行うことができるユニットルームの天井構造を提供する。
【課題を解決するための手段】
【０００６】
本発明のユニットルームの天井構造は、複数の天井パネルと複数の梁材を有している。そして、隣り合う天井パネルの側端面を互いに当接させ、梁材の上面に配列して天井部を形成している。互いに当接される天井パネルの側端面には段差を設けており、隣り合う天井パネルを重なり合うように当接して取付ける。該天井パネルの取付けは、ユニットルームの部屋内から順次配列しながら設置する。
【０００７】
上記天井パネルは、不燃ボードや構造用合板などを積層した構造としている。そして、天井パネルの段差を重なり合うように当接して取付けた後、ユニットルームを構成した部屋内及び部屋外から所定の間隔でねじを使って天井パネルを固定している。こうすることにより、火災が発生した場合であっても高熱による天井パネルの脱落や破壊を防止することが出来る。さらに、天井パネルは当接している側端同士を天井パネルの側端部に位置する梁材の箇所において、梁材を覆いながら天井パネルの側端同士を連結金具で固定する。
【発明の効果】
【０００８】
本発明のユニットルームの天井構造は、天井パネルの側端面を互いに当接させて天井部を構成しているので、ユニットルームの設置工事における作業性を向上させることができる。すなわち、天井パネルを設置する時にはユニットルームの部屋内から作業を行うことができるので、天井裏に上って無理な体勢で作業をすることがなくなる。
【０００９】
そして、天井パネルはユニットルームを構成した部屋内及び部屋外から所定の間隔でねじを使ってパネルを固定しているので、当接している天井パネルの側端面の位置ずれを防止できる。さらに、当接している天井パネルの側端面を梁部材を覆いながら連結金具にて固定しているため、天井パネルの荷重を安定して受けることができる。すなわち、梁材の強度を向上させることができる。さらには、天井パネルの製作コストの低減を図ることができる。
【図面の簡単な説明】
【００１０】
【図１】ユニットルームの外観図
【図２】ユニットルームの天井伏せ図
【図３】ユニットルームの天井パネルと梁材の配列形態
【図４】天井パネルの側端面における拡大断面図
【発明を実施するための形態】
【００１１】
図１はユニットルームの外観図を表す実施例である。同図の１はユニットルーム、２はコーナー柱、３は中間柱、４は梁材を示しており、ユニットルーム１は四隅に配置されたコーナー柱２と、コーナー柱２の上端に連結された梁材４をフレームとして組み立てる。そして、該フレームの周囲には壁パネル５、５を配列し、出入り口となる扉パネル６、６を取付ける。さらに、ユニットルーム１の天井部は上記梁材４の上面に天井パネル７を配列して構成する。ここで、本発明における壁パネル５の連結形態や支持形態は特に限定しない。例えば、壁パネル５の側面を凹凸形状として嵌合させる場合などがある。また、扉パネル６の取付け形態においても限定しない。例えば、開き扉や引き戸さらには折れ戸等に対応可能である。
【００１２】
図２はユニットルーム１の天井伏せ図である。梁材４は主として角型パイプ等の鉄骨からなり、コーナー柱２と固定される梁材４ａ、そして、壁パネル５のモジュールＷ寸法毎に配置される梁材４ｂとを有している。さらに、壁パネル５のモジュールＷ寸法の間に梁材４ｃを配置する。この梁材４ａ、４ｂ、４ｃの上面に天井パネル７を配列して天井部を構成する。また、ユニットルーム１の用途に合わせてモジュールＷを適宜増減させることも可能である。
【００１３】
図３はユニットルーム１の天井パネル７と梁材４の配列形態である。本実施例では梁材４はユニットルーム１の長手方向を示し、梁材４の上面に天井パネル７を配列する。天井パネル７の側端面には当接面となる段差８を設け、隣り合う天井パネル７を重なり合うように当接して取付ける。従って、天井パネル７はユニットルーム１の部屋内から順次配置作業を行うことができる。
【００１４】
図４は天井パネル７の側端面における拡大断面図である。上記段差８は天井パネル７を構成する不燃ボード９ａ、９ｂ、９ｃや構造用合板１０ａ、１０ｂなどを治具を使って加工する。そして、天井パネル７のそれぞれ外側となる不燃ボード９ａ、９ｃには金属の鋼板から成る表面材１１ａ、１１ｂが接着されている。また、上記以外の不燃ボード９ｂおよび構造用合板１０ａ、１０ｂは接着されておらず、ユニットルーム１を構成した部屋内及び部屋外から所定の間隔でパネル固定用ねじ１２にて固定する。さらに、天井パネル７の側端面には当接面となる段差８が設けられているが、該段差８の形態においては限定しない。つまり、天井パネル７を重なり合わせることができれば、側端面が斜面形状もしくは凹凸形状であってもよい。
【００１５】
上記天井パネル７の側端面における段差８を順次当接して取付け、ユニットルーム１を構成した部屋内からパネル固定用ねじ１２で取付けるが、さらに、天井パネル７の側端部に位置する梁材４の箇所においては、梁材４を覆うように天井パネル７の側端同士を連結金具１３で固定している。この連結金具１３は、金属の鋼板を曲げ成形して製作されたものであり、梁材４の底面に当接する底片１４と、両側に当接して垂直に起立する側片１５と、天井パネル７に当接する止着片１６を有している。
【００１６】
そして、底片１４は梁材４に上記連結金具固定用ねじ１７で固定され、止着片１６は天井パネルに連結金具用固定ねじ１８にてそれぞれ固定される。この連結金具１３は梁材４に複数取付けられ、その為に、該連結金具１３を介して天井パネル７と梁材４が組み合わされる為に、梁材４の強度をより向上させること出来る。さらには、連結金具１３にて天井パネル７が梁材４に固定されることで、側端面における段差８が位置ズレすることなく安定することが出来る。
【符号の説明】
【００１７】
１    ユニットルーム
２    コーナー柱
３    中間柱
４    梁材
５    壁パネル
６    扉パネル
７    天井パネル
８    段差
９    不燃ボード
１０  構造用合板
１１  表面材
１２  パネル固定用ねじ
１３  連結金具
１４  底片
１５  側片
１６  止着片
１７  連結金具固定用ねじ
１８  連結金具固定用ねじ
【図２】
2017066635.tif 000003
【図３】
2017066635.tif 000004
【図４】
2017066635.tif 000005
【図１】
2017066635.tif 000006